(57)【要約】【課題】複数枚の原稿についての動作を中断して再開する場合に、天地の方向の揃った複数の画像を得る。【解決手段】画像読取り装置は、複数枚の原稿のうちの少なくとも最初に読み取る原稿について、読取り位置での天地の方向である原稿方向Ｍ８を特定する方向特定手段４０１と、原稿方向Ｍ８が特定された原稿の画像Ｇ１１およびそれよりも後に読み取られる画像Ｇ１１に対して、天地の方向Ｍ７を所定の方向に変更する天地補正処理を施すか否かを、特定された原稿方向Ｍ８に応じて決定する補正要否決定手段４０２と、を備える。方向特定手段４０１は、複数枚の原稿について行う動作を中断してその後に再開した場合に、読取りを完了していない原稿のうちの少なくとも１枚について原稿方向を特定し、補正要否決定手段４０２は、動作の再開後に特定された原稿方向Ｍ８に応じて、再開後に読み取った画像Ｇ１１に対して天地補正処理を施すか否かを決定し直す。【選択図】図８
2017085361.tif 000002
【特許請求の範囲】
【請求項１】
シート状の複数枚の原稿のそれぞれから順次に画像を読み取る画像読取り装置であって、
前記複数枚の原稿のうちの少なくとも最初に読み取る原稿について、読取り位置での天地の方向である原稿方向を特定する方向特定手段と、
前記原稿方向が特定された原稿の画像およびそれよりも後に読み取られる画像に対して、天地の方向を所定の方向に変更する天地補正処理を施すか否かを、特定された前記原稿方向に応じて決定する補正要否決定手段と、を備え、
前記方向特定手段は、当該画像読取り装置が前記複数枚の原稿について行う動作を中断してその後に再開した場合に、読取りを完了していない原稿のうちの少なくとも１枚について前記原稿方向を特定し、
前記補正要否決定手段は、前記動作の再開後に特定された前記原稿方向に応じて、再開後に読み取った画像に対して前記天地補正処理を施すか否かを決定し直す
ことを特徴とする画像読取り装置。
【請求項２】
ユーザによる方向の指定を受け付ける方向指定受付手段を備え、
前記方向特定手段は、前記ユーザによって指定された方向を前記原稿方向として特定する
請求項１記載の画像読取り装置。
【請求項３】
前記複数枚の原稿のうちの１枚以上の原稿の画像を解析して当該画像の天地の方向を検知する方向検知手段を備え、
前記方向特定手段は、前記方向検知手段によって検知された方向を前記原稿方向として特定する
請求項１記載の画像読取り装置。
【請求項４】
原稿トレイと、
前記原稿トレイから前記読取り位置へ前記複数枚の原稿を１枚ずつ搬送する搬送機構と、
前記動作が中断したときに、前記原稿トレイへ戻す必要のある原稿の枚数を検知する再セット枚数検知手段と、を備え、
前記方向検知手段は、前記動作の再開後において、読取りを完了していない原稿のうちの少なくとも前記再セット枚数検知手段によって検知された枚数の原稿について、当該原稿の画像の天地の方向を検知し、
前記方向特定手段は、前記動作の再開後において、前記方向検知手段によって前記方向が検知されるごとに、前記原稿方向を特定し直す
請求項１ないし３のいずれかに記載の画像読取り装置。
【請求項５】
前記方向検知手段は、前記動作の再開後において、前記再セット枚数検知手段によって検知された枚数の原稿のみについて、当該原稿の画像の天地の方向を検知し、
前記補正要否決定手段は、前記方向検知手段が前記動作の再開後において画像の天地の方向を検知しない原稿の画像に対して、前記動作の中断前における最後の決定と同じ決定をする
請求項４記載の画像読取り装置。
【請求項６】
前記方向特定手段は、前記動作の再開後において、ユーザが前記搬送機構によらない読取りのための原稿台ガラスに原稿を配置した場合に、当該原稿から読み取った画像について前記方向検知手段によって検知された前記方向を、当該原稿の前記原稿方向として特定する
請求項４または５記載の画像読取り装置。
【請求項７】
当該画像読取り装置の近傍におけるユーザの位置が、複数の方向にそれぞれ対応付けられた複数の位置のいずれであるかを判別するユーザ位置判別手段を備え、
前記方向特定手段は、前記ユーザ位置判別手段によって判別された位置に対応する方向を前記原稿方向として特定する
請求項１記載の画像読取り装置。
【請求項８】
原稿トレイと、
前記原稿トレイから前記読取り位置へ前記複数枚の原稿を１枚ずつ搬送する搬送機構と、
前記原稿トレイに１枚以上の原稿がセットされたことを検知する原稿セット検知手段と、を備え、
前記方向特定手段は、前記動作の中断後において、前記原稿セット検知手段によって原稿のセットされたことが検知され、かつ前記ユーザ位置判別手段によって判別された位置が中断の前と後とで異なる場合にのみ、読取りを完了していない１枚以上の原稿について前記原稿方向を特定する
請求項７記載の画像読取り装置。
【請求項９】
ユーザによる中断の指示を受け付ける中断指示受付手段を備え、
前記補正要否決定手段は、ユーザによる指示に従って前記動作が中断された場合には、再開後における前記天地補正処理を施すか否かの決定し直しを行わない
請求項１記載の画像読取り装置。
【請求項１０】
シート状の複数枚の原稿のそれぞれから順次に画像を読み取って出力する画像処理装置であって、
前記複数枚の原稿のうちの少なくとも最初に読み取る原稿について、読取り位置での天地の方向である原稿方向を特定する方向特定手段と、
前記原稿方向が特定された原稿の画像およびそれよりも後に読み取られる画像に対して、天地の方向を所定の方向に変更する天地補正処理を施すか否かを、特定された前記原稿方向に応じて決定する補正要否決定手段と、
前記複数枚の原稿から読み取られた複数の画像のうち、前記天地補正処理を施すと決定された1 枚以上の画像のみに対して、それを出力する前に前記天地補正処理を施す天地補正手段と、を備え、
前記方向特定手段は、当該画像処理装置が前記複数枚の原稿について行う動作を中断してその後に再開した場合に、読取りを完了していない原稿のうちの少なくとも１枚について前記原稿方向を特定し、
前記補正要否決定手段は、前記動作の再開後に特定された前記原稿方向に応じて、再開後に読み取った画像に対して前記天地補正処理を施すか否かを決定し直す
ことを特徴とする画像処理装置。
【請求項１１】
シート状の複数枚の原稿のそれぞれから順次に画像を読み取る画像読取り装置において用いられるコンピュータプログラムであって、
前記画像読取り装置に、
前記複数枚の原稿のうちの少なくとも最初に読み取る原稿について、読取り位置での天地の方向である原稿方向を特定し、前記画像読取り装置が前記複数枚の原稿について行う動作を中断してその後に再開した場合に、読取りを完了していない原稿のうちの少なくとも１枚について前記原稿方向を特定する処理を実行させ、
前記原稿方向が特定された原稿の画像およびそれよりも後に読み取られる画像に対して、天地の方向を所定の方向に変更する天地補正処理を施すか否かを、特定された前記原稿方向に応じて決定し、前記動作の再開後に特定された前記原稿方向に応じて、再開後に読み取った画像に対して前記天地補正処理を施すか否かを決定し直す処理を実行させる、
ことを特徴とするコンピュータプログラム。
【発明の詳細な説明】
【技術分野】
【０００１】
本発明は、シート状の原稿から画像を読み取る画像読取り装置、画像処理装置、およびコンピュータプログラムに関する。
【背景技術】
【０００２】
従来より、コピー機やＭＦＰ（Multi-functional Peripheral ：多機能機または複合機）のようにシート状の原稿から画像を読み取って処理する画像処理装置には、自動原稿送り装置が備えられている。自動原稿送り装置は、原稿トレイにセットされた複数枚の原稿を自動的に１枚ずつ次々に読取り位置へ搬送する。
【０００３】
複数枚の原稿から複数の画像を読み取って処理する場合、処理の生成物として出力する複数の画像において天地の方向の揃っていることが、処理の品質の点で好ましい。例えば、処理として複数枚の原稿からなる文書を印刷するコピージョブを行う場合に、原稿の天地の方向が揃っていなくても印刷物において画像の天地の方向が揃っているのが好ましい。
【０００４】
複数枚の原稿から読み取った複数の画像を天地の方向を揃えて出力するための先行技術として、特許文献１〜５に記載の技術がある。
【０００５】
特許文献１には、複数枚の原稿のそれぞれの画像を読み取るごとに、読み取った画像に含まれる文字の向きを検出し、文字の向きが正しい向きではない場合に、画像を正しい向きになるように回転させることが開示されている。
【０００６】
特許文献２には、読み取った複数の画像のすべてについて、各画像に含まれる特定パターンの位置に基づいて画像の天地左右を判定する画像処理装置が開示されている。
【０００７】
特許文献３には、複数枚の原稿のうちの設定された枚数の原稿について原稿方向を検知し、当該枚数の原稿の原稿方向が同一である場合に、残りの原稿については原稿方向の検知を中止することによって、処理にかかる時間を短縮することが開示されている。
【０００８】
特許文献４には、複数枚の原稿のうちの表裏が反転している原稿を検出してユーザに知らせ、ユーザが天地補正を選択した場合に、表裏が反転している原稿の画像に対して天地補正を行うことが開示されている。
【０００９】
特許文献５には、固定読取方式と走査読取方式との切換えが可能な画像読取り装置において、固定読取方式によって読み取った画像と天地の方向が同じになるように、走査読取方式の読取りに際して原稿を載置するときの基準位置を設けることが開示されている。
【００１０】
一方、ユーザが装置の前方および後方の２方向または前後左右の４方向といった複数の方向のいずれからでも原稿をセットすることが可能な装置に関する先行技術として、特許文献６〜８に記載の技術がある。
【００１１】
特許文献６には、２方向から操作するための複数の操作パネルが操作されたときの操作の方向に応じて、原稿載置ガラスの表面のうちの原稿の読取りをする領域を設定することが開示されている。
【００１２】
特許文献７には、原稿を載置するガラスプラテンを覆う原稿カバーを複数の方向に開閉することが開示されている。特許文献８には、原稿カバーを複数の方向に開閉するためのヒンジ構造が開示されている。
【先行技術文献】
【特許文献】
【００１３】
【特許文献１】特開平４−２２９７６３号公報
【特許文献２】特開平９−２２３２２５号公報
【特許文献３】特開２００３−９２６６５号公報
【特許文献４】特開２００９−１２４４２２号公報
【特許文献５】特開２００１−２４８５６号公報
【特許文献６】特開平５−２２７３７２号公報
【特許文献７】特開２０００−３４７３１９号公報
【特許文献７】特開２００１−２５１４６０号公報
【発明の概要】
【発明が解決しようとする課題】
【００１４】
自動原稿送り装置によって複数枚の原稿を順次に搬送している途中でジャムの発生することがあり得る。ジャムが発生すると、画像処理装置は、複数枚の原稿の画像を読み取って処理するジョブ（行うべき動作）の実行を中断する。ユーザは、自動原稿送り装置内の搬送路からそこに残留している原稿を取り出して原稿トレイに再セットする。ユーザが再開を指示すると、画像処理装置はジョブを再開する。
【００１５】
なお、ジャム等のトラブルに因る中断のほかに、ユーザによる指示に従って動作を止める中断もある。例えば、ユーザはジョブの設定を途中で変更するためにジョブの中断を指示することがある。
【００１６】
ジョブの中断後にユーザが原稿を再セットする際に、ジョブの開始前に複数枚の原稿をセットしたときの方向とは異なる方向に向けて原稿をセットしてしまう可能性がある。特に、特許文献６〜８に開示される装置のように複数の方向からの操作が可能な画像処理装置においては、ジョブの開始時と再開時とでユーザの方向（向き）が変わることがあるので、原稿の方向がジョブの中断の前後で変わってしまう場合が起こりやすい。
【００１７】
ところが、従来においては、ジョブを中断して再開する場合に、ジョブを中断しない場合と同様に天地の方向の揃った複数の画像を得ることができなかった。
【００１８】
上に述べた特許文献１、２の技術のように、すべての原稿について方向を検知すると、複数の原稿から画像を読み取って出力する処理に長い時間がかかる。
【００１９】
特許文献３の技術では、設定された枚数の原稿の読取りが終わった後にジョブが中断した場合に、再開後に読み取られる画像の方向の検知が省略されるので、画像の天地の方向が揃わないおそれがある。
【００２０】
特許文献４の技術では、複数枚の原稿の中に表裏は反転していないが天地の方向が他の原稿と異なる原稿が混じっている場合に、画像の天地の方向を揃えることができない。
【００２１】
特許文献５の技術では、走査読取方式の読取りに際して、ユーザが基準位置で決まる正しい方向に向けて原稿を載置しなければ、固定読取方式による画像と走査読取方式による画像とで天地の方向が揃わない。
【００２２】
本発明は、上述の問題に鑑みてなされたもので、複数枚の原稿についての動作を中断して再開する場合に、天地の方向の揃った複数の画像を得ることを目的とする。
【課題を解決するための手段】
【００２３】
本発明の実施形態に係る画像読取り装置は、シート状の複数枚の原稿のそれぞれから順次に画像を読み取る画像読取り装置であって、前記複数枚の原稿のうちの少なくとも最初に読み取る原稿について、読取り位置での天地の方向である原稿方向を特定する方向特定手段と、前記原稿方向が特定された原稿の画像およびそれよりも後に読み取られる画像に対して、天地の方向を所定の方向に変更する天地補正処理を施すか否かを、特定された前記原稿方向に応じて決定する補正要否決定手段と、を備える。前記方向特定手段は、当該画像読取り装置が前記複数枚の原稿について行う動作を中断してその後に再開した場合に、読取りを完了していない原稿のうちの少なくとも１枚について前記原稿方向を特定し、前記補正要否決定手段は、前記動作の再開後に特定された前記原稿方向に応じて、再開後に読み取った画像に対して前記天地補正処理を施すか否かを決定し直す。
【００２４】
前記方向特定手段は、前記原稿方向として、前記ユーザによって指定された方向、原稿の画像を解析して検知された方向、または当該画像読取り装置の近傍におけるユーザの位置として判別された位置に対応する方向を特定するものでよい。
【００２５】
好ましくは、前記方向検知手段は、前記動作の再開後において、前記再セット枚数検知手段によって検知された枚数の原稿のみについて、当該原稿の画像の天地の方向を検知し、  前記補正要否決定手段は、前記方向検知手段が前記動作の再開後において画像の天地の方向を検知しない原稿の画像に対して、前記動作の中断前における最後の決定と同じ決定をする。
【発明の効果】
【００２６】
本発明によると、複数枚の原稿についての動作を中断して再開する場合に、天地の方向の揃った複数の画像を得ることができる。
【図面の簡単な説明】
【００２７】
【図１】本発明の一実施形態に係る画像処理装置の概略の構成を示す図である。
【図２】画像処理装置およびその制御部のハードウェア構成を示す図である。
【図３】自動原稿送り装置およびスキャナの構成を示す図である。
【図４】原稿方向に応じて天地補正処理の内容を決定するためのテーブルの例を示す図である。
【図５】ユーザが原稿方向を指定するための画面の例を示す図である。
【図６】ユーザの位置を検知するためのカメラの平面視の配置の例を示す図である。
【図７】原稿方向を特定するためのテーブルの例を示す図である。
【図８】画像処理装置の機能的構成の例を示す図である。
【図９】画像処理装置における全体的な処理の流れの第１例を示すフローチャートである。
【図１０】画像処理装置における全体的な処理の流れの第２例を示すフローチャートである。
【図１１】画像処理装置における全体的な処理の流れの第３例を示すフローチャートである。
【発明を実施するための形態】
【００２８】
図１には本発明の一実施形態に係る画像処理装置１の概略の構成が、図２には画像処理装置１およびその制御部１００のハードウェア構成が、それぞれ示されている。また、図３には自動原稿送り装置１０およびスキャナ２０の構成が示されている。
【００２９】
画像処理装置１は、コピー機、プリンタ、およびファクシミリ機などの機能を集約したＭＦＰである。画像処理装置１は、コピー、データ化（スキャン）、およびファクシミリ送信などのように、原稿８の画像について処理するジョブを実行する際には、原稿８から画像を読み取って画像データを生成する画像読取り装置として動作する。
【００３０】
画像処理装置１は、図２に示すように、自動原稿送り装置（ＡＤＦ：Auto Document Feeder）１０、スキャナ２０、プリンタ部３０、給紙部３５、給紙キャビネット４０、自動両面ユニット５０、操作パネル６０、ファクシミリユニット７０、通信インターフェース７５、制御部１００、および補助記憶装置１２０を備える。
【００３１】
自動原稿送り装置１０は、図１に示すように、原稿トレイ１１および排紙トレイ１６を有し、原稿トレイ（原稿台）１１にセットされた１枚または複数枚の原稿８を排紙トレイ１６へ搬送する。搬送中に、スキャナ２０によって原稿８の画像が読み取られる。原稿８を原稿トレイ１１にセットする際の表裏の向きは、本実施形態ではフェイスアップである。
【００３２】
自動原稿送り装置１０は、スキャナ２０のプラテンガラス２１を覆うカバーとして、少なくとも背面側の軸を中心に回転して開閉可能に構成されている。側面側または前面側の軸を含む複数の軸を中心に回転して複数の方向に開閉可能であってもよい。画像処理装置１のユーザは、自動原稿送り装置１０の前端部を持ち上げてプラテンガラス２１を露出させ、プラテンガラス２１の上に原稿を載置することができる。
【００３３】
スキャナ２０は、自動原稿送り装置１０によって搬送されている原稿８またはユーザによってプラテンガラス２１の上に置かれた原稿８から、それに記録されている画像を光学的に読み取る。スキャナ２０は、読み取った画像の各画素の階調値を表わす画像データを制御部１００へ送る。
【００３４】
スキャナ２０のハウジングの外面には、後述するようにユーザ９０の位置を検知するための複数のカメラ５１，５２，５３，５４が配置されている（図６参照）。
【００３５】
なお、自動原稿送り装置１０およびスキャナ２０の内部の構成については、後にさらに詳しく述べる。
【００３６】
プリンタ部３０は、電子写真法によって用紙に画像を印刷する。イエロー、マゼンダ、シアンおよびブラックの各色のトナー像を形成するための感光体ドラムおよび露光走査ユニットを備える。色の異なる４つのトナー像を転写ベルトに重ねて転写し、重なったトナー像を給紙部３５から搬送されてきた用紙に転写する。
【００３７】
給紙部３５は、用紙を収納しておくための複数の給紙カセットを備え、選択された給紙カセットからピックアップローラによって用紙を繰り出してプリンタ部３０に供給する。
【００３８】
給紙キャビネット４０は、給紙部３５と同様に複数の給紙カセットを備える。給紙キャビネット４０から繰り出された用紙は、給紙部３５の用紙搬送路を経由してプリンタ部３０に供給される。
【００３９】
自動両面ユニット５０は、両面印刷を可能にするためのユニットであり、片面に画像が印刷された用紙をプリンタ部３０から取り込み、表裏を反転させてプリンタ部３０へ用紙を戻す。
【００４０】
操作パネル６０は、ユーザによる入力操作のための画面を表示するタッチパネルディスプレイ６１と、スタートキー６５およびストップキー６６などのハードキーが配置されたキー入力部６２とを有し、入力操作に応じた信号を制御部１００に送る。
【００４１】
ファクシミリユニット７０は、外部のファクシミリ端末との間でＧ３などのプロトコルを用いて画像データをやりとりする。
【００４２】
通信インターフェース７５は、パーソナルコンピュータ、スマートフォン、および画像処理装置１に着脱可能なＵＳＢメモリなどの機器と通信回線を介して通信するためのインターフェースである。
【００４３】
制御部１００は、画像処理装置１の全体的な制御を受け持つメインコントローラである。図２に示すように制御部１００は、ＣＰＵ（Central Processing Unit ）１０１、ＲＡＭ（Random Access Memory）１０２、ＲＯＭ（Read Only Memory）１０３、および画像処理部１０４を備える。
【００４４】
ＲＯＭ１０３には、画像処理装置１をコピー機、ファクシミリ機、およびイメージリーダなどとして動作させるために、自動原稿送り装置１０、スキャナ２０およびプリンタ部３０などを制御するコンピュータプログラムが記憶されている。さらに、画像処理部１０４を制御して原稿８から読み取った画像に対して天地補正を行うための天地補正用プログラムが記憶されている。これらプログラムは、必要に応じてＲＡＭ１０２にロードされ、ＣＰＵ１０１によって実行される。
【００４５】
画像処理部１０４は、スキャナ２０から受け取った画像データにシェーディング補正や色収差補正といった読取り光学系の特性に関わる処理を施す。さらに、画像処理部１０４は、原稿８から読み取った画像を解析して天地の方向を検知する処理の一部または全部、および検知した方向に応じて画像を回転させる天地補正処理の一部または全部を受け持つ。画像処理部１０４は、受け持った処理をソフトウェアのみで行う場合よりも高速に行うためのハードウェアを含んで構成される。
【００４６】
補助記憶装置１２０は、制御部１００から送られてくる画像データを記憶する。補助記憶装置１２０として、ハードディスクドライブまたはＳＳＤ（Solid State Drive ）などが用いられる。
【００４７】
図３において、自動原稿送り装置１０は、原稿トレイ１１、搬送機構１２、搬送路１３、背景板１４，１５、および排紙トレイ１６などを有する。
【００４８】
原稿トレイ１１は、原稿８の有無を検出する複数のセンサ１７ａ，１７ｂを有する。これらセンサ１７ａ，１７ｂの出力信号は、原稿８がセットされているか否かの判定および原稿サイズの判別などに用いられる。
【００４９】
搬送機構１２は、原稿トレイ１１に重ねてセットされた複数枚の原稿８を１枚ずつ次々に原稿トレイ１１から読取り位置Ｐ１に向けて搬送し、読取り位置Ｐ１を通過させた後は排紙トレイ１６へ搬送する。搬送機構１２は、ピックアップローラ１２ａ、捌きローラ対１２ｂ、複数の送りローラ対１２ｃ，１２ｄ，１２ｅ，１２ｆ，１２ｇ，１２ｈ、搬送路１３、およびセンサ１７ｃ，１７ｄなどを有する。
【００５０】
ピックアップローラ１２ａは、原稿トレイ１１から最上の原稿８を取り出す。捌きローラ対１２ｂは、複数枚の原稿８が重なって取り出されたときに１枚のみを通過させるように回転によって捌く。送りローラ対１２ｃ，１２ｄ，１２ｅ，１２ｆ，１２ｇ，１２ｈは、搬送路１３に沿って間隔をあけて配置されており、原稿トレイ１１から取り出された原稿８を搬送し、読取り位置Ｐ１を通過させた後に排紙トレイ１６に排出する。
【００５１】
センサ１７ｃ，１７ｄは、搬送路１３内の原稿８の有無を検出する。センサ１７ｃは搬送路１３の入口付近に配置され、センサ１７ｄは搬送路１３の出口付近に配置されている。センサ１７ｃの出力に基づいて搬送路１３に原稿８が入ったことを検知するとともに、センサ１７ｄの出力に基づいて搬送路１３から原稿８が出たことを検知することにより、搬送路１３内に存在する原稿８の枚数を検知することができる。
【００５２】
原稿８が搬送路１３における送りローラ対１２ｅとその次の送りローラ対１２ｆとの間を通過するとき、読取り位置Ｐ１において、原稿８の下面の画像が、静止状態の光源ユニット２２を介しイメージセンサ２７によって読み取られる。つまり、背景板１４の表面上の読取り位置Ｐ１を原稿８が先端側から後端側へと移動することにより、原稿８に対する主走査方向の走査（スキャン）が行われる。
【００５３】
背景板１４，１５は、スキャナ２０による読み取りの撮像面に原稿８の背景として映り込む部材である。背景板１４は、搬送路１３を形成する壁面の一部となるように配置されており、自動原稿送り装置１０によって原稿８を搬送しながら画像を読み取る場合に原稿８の背景となる。背景板１５は、それを支持する自動原稿送り装置１０を閉じたときにプラテンガラス２１と対向して配置され、プラテンガラス２１の上面に置かれた静止状態の原稿８から画像を読み取る場合に原稿８の背景となる。
【００５４】
背景板１４，１５は、樹脂、金属またはこれらを組み合わせた複合材料などからなり、その表面は白色であるかまたは光沢を有する。背景板１４，１５の両者の材質が同じでもよいし、異なっていてもよい。
【００５５】
スキャナ２０は、フラットヘッド型であり、光源ユニット２２、ミラーユニット２３、結像レンズ２６、およびイメージセンサ２７を有する。光源ユニット２２は、原稿８を照射する光源２４と、原稿８からの反射光をミラーユニット２３へ導くミラー２５ａとを有する。光源２４は例えばＬＥＤアレイであり、原稿８をその搬送方向と直交する方向の全長にわたって照射可能である。ミラーユニット２３は、光源ユニット２２から入射する光を折り返してイメージセンサ２７へ入射させるミラー２５ｂ，２５ｃを有する。光源ユニット２２およびミラーユニット２３は、プラテンガラス２１と平行に移動可能に構成されている。
【００５６】
自動原稿送り装置１０によって原稿８を搬送しながら画像を読み取る場合には、光源ユニット２２およびミラーユニット２３は移動しない。光源ユニット２２は背景板１４の下方の位置で静止したままである。光源２４は、背景板１４の表面を通過する原稿８の下面に向けて、原稿８の進行方向における後方側からプラテンガラス２１越しに例えば白色の光を照射する。この光が原稿８および背景板１４で反射してミラー２５ａ，２５ｂ，２５ｃおよび結像レンズ２６を経てイメージセンサ２７に入射する。これにより、原稿８および背景板１４の照射された部分の像がイメージセンサ２７の撮像面に結像する。イメージセンサ２７は、結像した像を一列に並ぶ画素の列として読み取る。イメージセンサ２７の駆動によって主走査が行われ、原稿８の搬送によって副走査が行われる。主走査と副走査とにより原稿８の画像Ｇ１１が背景板１４とともに線順次に読み取られる。
【００５７】
一方、プラテンガラス２１の上に置かれた静止状態の原稿８から画像Ｇ１１を読み取る場合には、光源ユニット２２は一定の速度で移動し、ミラーユニット２３は光路長が一定になるように光源ユニット２２の半分の速度で移動する。この場合、光源ユニット２２およびミラーユニット２３の移動によって副走査が行われる。主走査はイメージセンサ２７の駆動によって行われる。
【００５８】
以下、自動原稿送り装置１０を用いて複数枚の原稿８から画像Ｇ１１を読み取るジョブを実行する場合を例として、読み取った複数の画像Ｇ１１を出力する際に天地の方向を揃える機能について説明する。ただし、ユーザによってプラテンガラス２１に配置された静止状態の原稿８から画像を読み取る場合にも、複数の画像の天地の方向を揃えることができる。
【００５９】
図４には原稿方向Ｍ８に応じて天地補正処理の内容を決定するためのテーブルＴ２０の例が示されている。
【００６０】
後述の図８をも参照して、画像処理装置１は、原稿８から読み取った画像Ｇ１１に対して施すべき天地補正処理の内容ＣＡを、テーブルＴ２０に基づいて決定する。テーブルＴ２０は、原稿方向Ｍ８に応じた天地補正処理の内容ＣＡを示すデータである。このテーブルＴ２０および後述するテーブルＴ１１，Ｔ１２，Ｔ１３は、例えばＲＯＭ１０３によって記憶されている。
【００６１】
原稿方向Ｍ８とは、読取り位置Ｐ１での原稿８の天地の方向である。つまり、イメージセンサ２７からみた原稿８の向きである。自動原稿送り装置１０において、原稿トレイ１１から読取り位置Ｐ１までの原稿８の搬送の経路は固定である。このため、原稿方向Ｍ８は、ユーザが原稿８を原稿トレイ１１にセットしたときに自ずと決まる。
【００６２】
画像処理装置１において、原稿方向Ｍ８は、上向きＭ８ａ、右向きＭ８ｂ、下向きＭ８ｃ３および左向きＭ８ｄの４つの方向のいずれかに特定される。上向きＭ８ａは、原稿８における主走査方向Ｍ１の上流側の端辺が天（上端辺）となる方向である。必然的に、主走査方向Ｍ１の下流側の端辺は地（下端辺）となる。右向きＭ８ｂは、原稿８における副走査方向Ｍ２の下流側の端辺が原稿８の天となる方向である。下向きＭ８ｃは、原稿８における主走査方向Ｍ１の下流側の端辺が原稿８の天となる方向である。左向きＭ８ｄは、原稿８における副走査方向Ｍ２の上流側の端辺が原稿８の天となる方向である。
【００６３】
テーブルＴ２０において、上向きＭ８ａには、天地補正処理の内容ＣＡとして、「補正なし（すなわち、天地補正処理を施さない）」が定められている。そして、右向きＭ８ｂには「反時計回り９０度回転」が、下向きＭ８ｂには「反時計回り１８０度回転」が、左向きＭ８ｄには「反時計回り２７０度回転」が、それぞれ定められている。
【００６４】
つまり、テーブルＴ２０は、原稿方向Ｍ８が上向きＭ８ａである場合には、読み取った画像Ｇ１１の天地の方向を変更せず、他の場合には、上向きＭ８ａである場合の画像の天地の方向に揃えるように天地補正を行うことを定めている。なお、画像の回転は反時計回りに限らず、時計回りの所定角度の回転を天地補正処理の内容ＣＡとして定めてもよい。
【００６５】
図５にはユーザ９０が原稿方向Ｍ８を指定するための画面６１０の例が、図６にはユーザ９０の位置を検知するためのカメラ５１，５２，５３，５４の平面視の配置の例が、図７には原稿方向Ｍ８を特定するためのテーブルＴ１１，Ｔ１２，Ｔ１３の例が、それぞれ示されている。また、図８には画像処理装置１の機能的構成の例が示されている。
【００６６】
画像処理装置１は、原稿方向Ｍ８を特定する方法が互いに異なる第１モード、第２モードおよび第３モードを有している。ユーザ９０は、ジョブの実行を開始させる前にこれらのモードのいずれかを選択することができる。ユーザがモードを選択する操作を行わなかった場合には、デフォルトのモード（例えば、第２モード）が自動的に選択される。
【００６７】
第１モードは、ユーザ９０によって指定された方向Ｍ６を原稿方向Ｍ８として特定するモードである。画像処理装置１は、操作パネル６０のタッチパネルディスプレイ６１によって図５に示す画面６１０を表示させる。画面６１０は、ユーザ９０が原稿８の天地の方向Ｍ６として「上」、「右」、「下」または「左」の方向（ユーザ指定方向Ｍ６）を指定するための４つのキー６１１，６１２，６１３，６１４を有する。
【００６８】
第１モードでは、画面６１０のキー６１１，６１２，６１３，６１４の操作に応じて、図７（Ａ）のテーブルＴ１１によって定められた通りに、原稿方向Ｍ８として４つの方向（Ｍ８ａ〜Ｍ８ｄ）のいずれかを特定する。すなわち、キー６１１がタッチされたときには上向きＭ８ａを、キー６１２がタッチされたときには右向きＭ８ｂを、キー６１３がタッチされたときには下向きＭ８ｃを、キー６１４がタッチされたときには左向きＭ８ｄを、それぞれ原稿方向Ｍ８として特定する。
【００６９】
第２モードは、原稿８から読み取った画像Ｇ１１を解析して検知した天地の方向Ｍ７を原稿方向Ｍ８として特定するモードである。第２モードでは、画像Ｇ１１内の文字または特定パターンに基づいて画像全体の天地の方向を判別する公知の解析手法によって、原稿８の画像の天地の方向Ｍ７を検知する。そして、検知した方向Ｍ７に応じて、図７（Ｂ）のテーブルＴ１２によって定められた通りに、原稿方向Ｍ８を特定する。
【００７０】
すなわち、画像により検知した方向Ｍ７が「上（主走査方向Ｍ１の上流側の端辺が天）」のときには上向きＭ８ａを、「右（副走査方向Ｍ２の下流側の端辺が天）」のときには右向きＭ８ｂを、「下（主走査方向Ｍ１の下流側の端辺が天）」のときには下向きＭ８ｃを、「左（副走査方向Ｍ２の上流側の端辺が天）」のときには左向きＭ８ｄを、それぞれ原稿方向Ｍ８として特定する。
【００７１】
第３モードは、画像処理装置１の近傍におけるユーザ９０の位置であるユーザ位置Ｐ９０に対応する方向を、原稿方向Ｍ８として特定するモードである。第３モードでは、例えば図６に示す４つのカメラ５１，５２，５３，５４によって、ユーザ位置Ｐ９０を判別する。カメラ５１，５２，５３，５４は、図６のようにスキャナ２０の平面視における四方のそれぞれに１つずつ配置されており、画像形成装置１の前方、左方、後方および右方のそれぞれの位置に存在する物体を撮影する。
【００７２】
画像処理装置１は、カメラ５１，５２，５３，５４のそれぞれによる撮影画像を公知の画像認識技術を用いて解析することによって、人物が映っている撮影画像を検知する。検知した撮影画像の撮影の方向の位置をユーザ位置Ｐ９０として判別し、判別したユーザ位置Ｐ９０に応じて、図７（Ｃ）のテーブルＴ１３によって定められた通りに、原稿方向Ｍ８を特定する。
【００７３】
すなわち、ユーザ位置Ｐ９０がカメラ５１に対応した前方の位置である場合には上向きＭａを、カメラ５２に対応した左方の位置である場合には右向きＭ８ｂを、カメラ５３に対応した後方の位置である場合には下向きＭ８ｃを、カメラ５４に対応した右方の位置である場合には左向きＭ８ｄを、それぞれ原稿方向Ｍ８として特定する。
【００７４】
図８において、画像処理装置１には、天地補正部４００、方向特定部４０１、補正要否決定部４０２、方向指定受付部４０３、方向検知部４０４、再セット枚数検知部４０５、ユーザ位置判別部４０６、原稿セット検知部４０７、および中断指示受付部４０８などが設けられる。これらの機能は、上に述べた制御部１００のハードウェア構成により、および上に述べた天地補正用プログラムがＣＰＵ１０１によって実行されることにより実現される。
【００７５】
天地補正部４００は、原稿トレイ１１にセットされた複数枚の原稿８からイメージセンサ２７によって読み取られた複数の画像Ｇ１１のうち、補正要否決定部４０２によって天地補正処理を施すと決定された画像Ｇ１１のみに対して、天地補正処理を施す。天地補正処理を施すタイミングは、画像処理装置１が画像Ｇ１１の画像データをジョブに応じて出力する前のタイミングである。
【００７６】
天地補正部４００は、補正要否決定部４０２から通知される内容ＣＡの通りに画像Ｇ１１を回転させた画像Ｇ１２を生成して後段へ送る。内容ＣＡが「補正なし」である場合には、画像Ｇ１１を回転させずに画像Ｇ１２として後段へ送る。後段とは、例えばコピージョブにおいて画像Ｇ１２に対応する印刷用の画像データを生成する処理部のように、画像Ｇ１２に基づいて出力用の画像データを生成する手段である。
【００７７】
方向特定部４０１は、ジョブに関わる複数枚の原稿８のうちの少なくとも最初に読み取る原稿８について、原稿方向Ｍ８を特定する。上に述べた第１モードでは、方向指定受付部４０３から通知される方向Ｍ６（ユーザ９０によって指定された方向）に応じて、テーブルＴ１１に基づいて原稿方向Ｍ８を特定する。第２モードでは、方向検知部４０４から通知される画像Ｇ１１の天地の方向Ｍ７に応じて、テーブルＴ１２に基づいて原稿方向Ｍ８を特定する。第３モードでは、ユーザ位置判別部４０６から通知されるユーザ位置Ｐ９０に応じて、テーブルＴ１３に基づいて原稿方向Ｍ８を特定する。
【００７８】
方向特定部４０１は、画像読取り装置１が複数枚の原稿８について行う動作を中断してその後に再開した場合に（つまり、ジョブの実行を中断して再開した場合に）、読取りを完了していない原稿８のうちの少なくとも１枚について原稿方向Ｍ８を特定する。
【００７９】
方向特定部４０１は、動作の再開後において、方向検知部４０４によって方向Ｍ７が検知されるごとに、原稿方向Ｍ８を特定し直す。
【００８０】
特に第２モードでは、方向特定部４０１は、動作の再開後において、ユーザ９０が搬送機構１２によらない読取りのためのプラテンガラス２１に原稿８を配置した場合に、当該原稿８から読み取った画像Ｇ１１について方向検知部４０４によって検知された方向Ｍ７を、当該原稿８の原稿方向Ｍ８として特定する。
【００８１】
また、第３モードでは、方向特定部４０１は、動作の中断後において、原稿セット検知部４０７によって原稿８のセットされたことが検知され、かつユーザ位置判別部４０６によって判別されたユーザ位置Ｐ９０が中断の前と後とで異なる場合にのみ、読取りを完了していない１枚以上の原稿８について原稿方向Ｍ８を特定する。
【００８２】
補正要否決定部４０２は、方向特定部４０１によって原稿方向Ｍ８が特定された原稿８の画像Ｇ１１およびそれよりも後に読み取られる画像Ｇ１１に対して、天地補正処理を施すか否か（要否）を、方向特定部４０１によって特定された原稿方向Ｍ８に応じて決定して天地補正部４００に通知する。天地補正処理を施すと決定したときには、天地補正処理の内容ＣＡをも決定して通知する。上に述べたようにテーブルＴ２０の示す内容ＣＡを通知する場合において、「補正なし」を通知することは、天地補正処理を施さないことを通知することである。
【００８３】
補正要否決定部４０２は、動作の再開後に特定された原稿方向Ｍ８に応じて、再開後に読み取った画像Ｇ１１に対して天地補正処理を施すか否かを決定し直し、その結果を天地補正部４００に通知する。
【００８４】
また、第２モードでは、補正要否決定部４０２は、方向検知部４０４が動作の再開後において画像Ｇ１１の天地の方向Ｍ７を検知しない原稿８の画像Ｇ１１に対して、動作の中断前における最後の決定と同じ決定をする。
【００８５】
方向指定受付部４０３は、画面６１０を用いて行われるユーザ９０による方向Ｍ６の指定を受け付け、ユーザ９０が指定した方向Ｍ６を方向特定部４０１に通知する。
【００８６】
方向検知部４０４は、複数枚の原稿８のうちの１枚以上の原稿８の画像Ｇ１１を解析して当該画像Ｇ１１の天地の方向Ｍ７を検知する。そして、検知した方向Ｍ７を方向特定部４０１に通知する。
【００８７】
方向検知部４０４は、動作の再開後において、読取りを完了していない原稿８のうちの少なくとも再セット枚数検知部４０５によって検知された再セット必要枚数Ｒの原稿８について、当該原稿８の画像Ｇ１１の天地の方向Ｍ７を検知する。再セット枚数検知部４０４によって検知された再セット必要枚数Ｒの原稿８のみについて、当該原稿８の画像Ｇ１１の天地の方向Ｍ７を検知するものでもよい。
【００８８】
再セット枚数検知部４０５は、複数枚の原稿８について行う動作が中断したときに、センサ群１７の出力などに基づいて、原稿トレイ１１へ戻す必要のある原稿８の枚数である再セット必要枚数Ｒを検知する。そして、検知した再セット必要枚数Ｒを方向検知部４０４に通知する。ジャムなどにより搬送路１３に原稿８が残留した場合、この原稿８を原稿トレイ１１へ戻す必要がある。このように残留した原稿８の枚数が再セット必要枚数Ｒの例である。
【００８９】
ユーザ位置判別部４０６は、ユーザ位置Ｐ９０が、複数の方向にそれぞれ対応付けられた複数の位置のいずれであるかを判別する。そして、判別した位置を方向特定部４０１に通知する。
【００９０】
原稿セット検知部４０７は、原稿トレイ１１に１枚以上の原稿がセットされたことを検知して、方向特定部４０１に通知する。
【００９１】
中断指示受付部４０８は、ユーザ９０による例えばストップキー６６を押すといった中断の指示を受け付け、指示のあったことを方向特定部４０１および補正要否決定部４０２に通知する。
【００９２】
以下、フローチャートを参照して画像処理装置１の動作を説明する。
【００９３】
図９のフローチャートには画像処理装置１における全体的な処理の流れの第１例が示されている。
【００９４】
ユーザ９０が画面６１０において指定した方向Ｍ６を、ジョブに関わる複数枚の原稿８のすべてについての原稿方向Ｍ８として特定する（＃１０１）。続いて、複数枚の原稿８から読み取られるすべての画像Ｇ１１に対して一律に、天地補正処理の内容ＣＡを原稿方向Ｍ８に応じて決定する（＃１０２）。原稿方向Ｍ８が上向きＭ８ａの場合には、内容ＣＡとして「補正無し」を決定する。
【００９５】
ユーザ９０が原稿トレイ１１に複数枚の原稿８をセットした後、例えばスタートキー６５を押すことによってジョブの実行の開始を指示すると、原稿８の搬送を開始してジョブ中断チェックを行う（＃１０３）。ジョブ中断チェックは、ジャムなどのトラブルの発生に起因して、またはユーザ９０による指示に従ってジョブの実行が中断したか否かのチェックである。
【００９６】
ジョブの実行が中断していない場合には（＃１０３でＮＯ）、原稿８から画像Ｇ１１を読み取る処理である画像データ入力（＃１０４）、ステップ＃１０２で決定された内容ＣＡの天地補正処理（＃１０５）、および画像Ｇ１２を後段へ送る処理である画像データ出力（＃１０６）を実行する。ステップ＃１０４〜＃１０６の処理を実行するごとに、すなわち１枚の原稿８についての処理が終わるごとに、未処理の原稿８があるかどうかチェックする（＃１０７）。
【００９７】
未処理の原稿８が有る場合には（＃１０７でＹＥＳ）、フローはステップ＃１０３へ戻る。未処理の原稿８が無い場合には（＃１０７でＮＯ）、すなわち原稿トレイ１１および搬送路１３に原稿８が残っていない場合には、図９の処理を終了する。
【００９８】
一方、ジョブの実行が中断した場合には（＃１０３でＹＥＳ）、ユーザ９０が例えば再びスタートキー６５を押すことによってジョブの実行の再開を指示するのを待つ（＃１０８）。なお、ユーザ９０は、再開を指示する前に、ジャムの対処などの中断の原因に応じた再開のための作業を行うとともに、原稿８の天地の方向Ｍ６を必要に応じて改めて指定する。
【００９９】
再開の指示があると（＃１０８でＹＥＳ）、中断後にユーザ９０が改めて指定した方向Ｍ６を原稿方向Ｍ８とする再特定を行う（＃１０９）。ユーザ９０が中断後に方向Ｍ６を指定しなかった場合には再特定を行わない。
【０１００】
再特定によって中断の前後で原稿方向Ｍ８が変わった場合には（＃１１０でＹＥＳ）、中断前に決定した天地補正処理の内容ＣＡを変更し（＃１１１）、その後にステップ＃１０４へ進む。原稿方向Ｍ８が変わっていない場合には（＃１１０でＮＯ）、内容ＣＡを変更せずにステップ＃１０４へ進む。
【０１０１】
このようなステップ＃１０８〜＃１１１の処理は、再開後に読み取った画像Ｇ１１に対して天地補正処理を施すか否かを決定し直す処理に相当する。
【０１０２】
以上の第１例によると、ユーザ９０による指定に従って原稿方向Ｍ８を特定するので、すべての原稿８についてそれぞれ画像Ｇ１１を解析して原稿方向Ｍ８を特定する場合よりも、原稿方向Ｍ８を特定する処理の負担を小さくすることができる。
【０１０３】
図１０のフローチャートには画像処理装置１における全体的な処理の流れの第２例が示されている。第２例は、画像Ｇ１１を解析して原稿方向Ｍ８を特定する場合において、原稿方向Ｍ８を特定する原稿８の枚数を限定することによって解析の全体的な所要時間を短縮する上で好ましい例である。
【０１０４】
フローの最初に、所要時間の短縮に関係する変数（Ｑ、Ｊ、Ｆ）を初期化する（＃２０１）。詳しくは、天地判定設定枚数Ｑを「１」に、処理完了枚数Ｊを「０」に、中断フラグＦを「０（オフ状態）」にする。
【０１０５】
天地判定設定枚数Ｑは、画像Ｇ１１を解析する原稿８の枚数である。これが「１」であることは１枚目の原稿８のみについて解析することを意味する。また、これが「ｎ（ｎ＞２）」であれば、１枚目からｎ枚目までの原稿８について解析を行い、（ｎ＋１）枚目以降の原稿８については解析を省略することになる。
【０１０６】
処理完了枚数Ｊは、排紙トレイ１６への排出を終えた原稿８の枚数である。中断フラグＦは、ジョブの実行を中断して再開した後の状態を示すフラグである。中断フラグＦの値が「１」であるとき、画像処理装置１の状態は、中断時に再設定される天地判定設定枚数Ｑの原稿８の読取りが完了した状態である。このような状態でなければ、中断フラグＦの値は「０」とされる。
【０１０７】
ユーザ９０がジョブの実行の開始を指示すると、画像データ入力（＃２０２）と、原稿方向Ｍ８の特定および天地補正処理の内容ＣＡの決定（＃２０３）と、決定された内容ＣＡの天地補正処理および画像データ出力（＃２０４）と、および処理完了枚数Ｊのインクリメント（＃２０５）とを実行する。
【０１０８】
処理完了枚数Ｊの値が天地判定設定枚数Ｑの現在の値と同じになったかどうかをチェックする（＃２０６）。このチェックでＮＯの場合には、フローはステップ＃２０２へ戻る。つまり、処理完了枚数Ｊの値が天地判定設定枚数Ｑの値と同じになるまで、ステップ＃２０２〜＃２０６の処理を繰り返し実行する。
【０１０９】
なお、本第２例では、天地判定設定枚数Ｑの初期値が「１」であるので、１枚目の原稿８が正常に排出されると、処理完了枚数Ｊの値が天地判定設定枚数Ｑの値と同じになる。
【０１１０】
ステップ＃２０６でＹＥＳであると、未処理の原稿８が有るか否かをチェックする（＃２０７）。未処理の原稿８が無い場合には（＃２０７でＮＯ）、図１０の処理を終了する。未処理の原稿８が有る場合には（＃２０７でＹＥＳ）、中断フラグＦの値が「０」であるか否かをチェックする（＃２０８）。中断フラグＦの値が「０」である場合（＃２０８でＹＥＳ）、ジョブ中断チェックを行う（＃２０９）。
【０１１１】
ジョブの実行が中断していない場合には（＃２０９でＮＯ）、画像データ入力（＃２１０）と、ステップ＃２０３で決定された内容ＣＡの天地補正処理および画像データ出力（＃２１１）とを実行する。そして、ステップ＃２０７に戻る。これにより、天地判定設定枚数Ｑを超えた分の原稿８については、原稿方向Ｍ８を特定するための画像Ｇ１１の解析を省略して画像Ｇ１２を生成して出力することになる。
【０１１２】
ジョブの実行が中断している場合には（＃２０９でＹＥＳ）、フローはステップ＃２１５へ進む。ステップ＃２１５では、再セット必要枚数Ｒを検知する。つまり、搬送路１３に残留している原稿８の枚数を検知する。搬送路１３には、原稿８のサイズに依るが、一般的なサイズの場合に１〜３枚程度の原稿８の残留する可能性がある。
【０１１３】
天地判定設定枚数Ｑの値として、検知した再セット必要枚数Ｒの値を設定する（＃２１６）。これにより、再セットされた原稿８についてはすべて画像Ｇ１１を解析して原稿方向Ｍ８を特定することになる。
【０１１４】
続いて、処理完了枚数Ｊの値を初期化し（＃２１７）、中断フラグＦの値を「１」にする（＃２１８）。さらに、ユーザ９０に対して再セット必要枚数Ｒの原稿８を搬送路１３から取り出して原稿トレイに戻すように促すメッセージをタッチパネルディスプレイ６１によって表示する（＃２１９）。そして、ユーザ９０によってジョブの実行の再開が指示されるのを待つ（＃２２０）。ユーザ９０が再開を指示すると、ステップ＃２０２に戻って、再びステップ＃２０２以降の処理を実行する。
【０１１５】
ところで、ステップ＃２０８のチェックでＮＯである場合には、すなわち中断フラグＦの値が「１」である場合には、ステップ＃２１２へ進む。ステップ＃２１２では、原稿トレイ１１に原稿８が有るか否かをチェックする。このチェックは、ユーザ９０が自動原稿送り装置１０を使用せずに原稿８をプラテンガラス２１に配置してジョブの実行を再開させる場合のあることに鑑みて設けられたチェックである。中断の時点で未処理の原稿８が少ない場合に、ユーザ９０が自動原稿送り装置１０を使用しないことが想定されている。
【０１１６】
ステップ＃２１２でＹＥＳの場合は、例えば中断した時点で原稿トレイ１１に原稿８が残っていた場合である。この場合、中断フラグＦを初期化し（＃２１３）、天地補正処理の内容ＣＡとして、現在において決定されている内容ＣＡに代えて中断前の最後に決定された内容ＣＡを設定する（＃２１４）。そして、ステップ＃２０９へ進む。
【０１１７】
ステップ＃２１４での設定は、再開後にステップ＃２０３で内容ＣＡが変更された場合に、変更前の内容ＣＡに変更し直すものである。つまり、ユーザ９０が未処理の原稿８を原稿トレイ１１に戻す際に原稿トレイ１１に残っていた未処理の原稿８については、それらの原稿方向Ｍがジョブの開始時の１枚目の原稿８と同じであるものとして、内容ＣＡを決定する。
【０１１８】
一方、ステップ＃２１２でＹＥＳの場合には、すなわちプラテンガラス２１に配置された原稿８から画像Ｇ１１を読み取る場合には、ステップ＃２１２からステップ＃２０２へ戻ってステップ＃２０２以降の処理を行う。ただし、この場合には、ユーザ９０が例えばスタートキー６５を押すのを待って画像Ｇ１１を読み取る。または、ユーザ９０がカバーとしての自動原稿送り装置１０を閉じたことを検知して読取り（走査）を開始するようにしてもよい。
【０１１９】
以上の第２例によると、ジョブに関わる複数枚の原稿８の一部について画像Ｇ１１の解析を行わなないので、その分だけ解析の所要時間を短縮することができる。
【０１２０】
図１１のフローチャートには画像処理装置１における全体的な処理の流れの第３例が示されている。第３例において、ジョブの実行を中断しない通常時の処理の流れは、ユーザ位置Ｐ９０に応じて原稿方向Ｍ８を特定する点を除いて、基本的に図９の第１例と同様である。
【０１２１】
すなわち、ユーザ位置Ｐ９０を判別し（＃３０１）、テーブルＴ１３によってユーザ位置Ｐ９０に対応付けられている方向を原稿方向Ｍ８として特定する（＃３０２）。続いて、複数枚の原稿８から読み取られるすべての画像Ｇ１１に対して一律に、原稿方向Ｍ８に応じて天地補正処理の内容ＣＡを決定する（＃３０２）。ユーザ９０がジョブの実行の開始を指示すると、原稿８の搬送を開始してジョブ中断チェックを行う（＃３０４）。
【０１２２】
ジョブの実行が中断していない場合には（＃３０４でＮＯ）、画像データ入力（＃３０５）、ステップ＃３０３で決定された内容ＣＡの天地補正処理（＃３０６）、および画像データ出力（＃３０７）を実行する。そして、未処理の原稿８がなくなるまで、ステップ＃３０４〜＃３０８の処理を繰り返す。未処理の原稿８がなくなると（＃３０８でＮＯ) 、図１１の処理を終了する。
【０１２３】
一方、ジョブの実行が中断した場合には（＃３０４でＹＥＳ）、中断後に原稿８が原稿トレイ１１にセットされたか否かをチェックする（＃３０９）。セットされなかった場合には（＃３０９でＮＯ) 、ステップ＃３１４へ進んでユーザ９０が再開を指示するのを待つ。
【０１２４】
中断後に原稿８がセットされた場合には（＃３０９でＹＥＳ) 、現在のユーザ位置Ｐ９０を判別し（＃３１０）、中断の前と後とでユーザ位置Ｐ９０が変わったか否かをチェックする（＃３１１）。
【０１２５】
ユーザ位置Ｐ９０が変わっていない場合には（＃３１１でＮＯ) 、再開の指示を待つ（＃３１４）。
【０１２６】
これに対して、ユーザ位置Ｐ９０が変わっている場合には（＃３１１でＹＥＳ) 、ステップ＃３１０で判別したユーザ位置Ｐ９０に対応付けられている方向を原稿方向Ｍ８として特定する（＃３１２）。そして、以降に読み取られるすべての画像Ｇ１１に対して一律に、ステップ＃３１２で特定した原稿方向Ｍ８に応じて天地補正処理の内容ＣＡを決定し直す（＃３１３）。
【０１２７】
ユーザ９０が再開を指示すると（＃３１４でＹＥＳ) 、ステップ＃３０５へ進み、上に述べたステップ＃３０５以降の処理を実行する。
【０１２８】
以上の第３例によると、第１例と同様に原稿方向Ｍ８を特定する処理の負担を小さくすることができる。加えて、第１例とは違ってユーザ９０が方向Ｍ６を指定する操作をしなくても、複数枚の原稿８から読み取った複数の画像Ｇ１１について、これらの天地の方向を揃えた複数の画像Ｇ１２を生成することができる。さらに、第２例とは違って、原稿８の画像Ｇ１１が文字および特定パターンを含まないもののように天地の自動認識が難しい画像であったとしても、複数の画像Ｇ１１の天地の方向をユーザ９０が天地の方向と判断した方向に揃えることができる。
【０１２９】
以上の実施形態によると、複数枚の原稿８についての動作を中断して再開する場合に、天地の方向の揃った複数の画像Ｇ１２を得ることができる。
【０１３０】
上に述べた実施形態において、ユーザ９０が近距離無線通信機能を有したカードのように所在をワイヤレスで通知する通信手段を携帯する場合には、カメラ群５０による撮影画像を解析する代わりに、通信手段との通信によってユーザ位置Ｐ９０を判別することができる。
【０１３１】
画像処理装置１を、スマートホンなどの携帯型端末を用いた無線のリモートアクセスによって、ユーザ９０がジョブの実行の開始、中断、および再開の指示をすることが可能に構成してもよい。リモートアクセスによると、操作パネル６０に近い前方側の位置以外での操作が容易になるので、中断の前と後とでユーザ位置Ｐ９０が変わることが起こりやすくなる。図１１に示した第３例は、このようなリモートアクセスが可能な画像処理装置において、特に有用である。
【０１３２】
図１０に示した第２例において、１枚目の原稿８の搬送を開始した直後にもジョブ中断チェックを行ってもよい。具体的には、例えばステップ＃２０３とステップ＃２０４との間に３との間にジョブ中断チェックを行うステップを挿入する。ジョブの実行が中断していない場合はステップ＃２０４へ進み、中断している場合はステップ＃２１５へ進むようにすればよい。
【０１３３】
天地判定設定枚数Ｑの初期値は「１」に限らず、２以上の値であってもよい。必ずしも、検知した再セット必要枚数Ｒの原稿８のすべてについて画像Ｇ１１の天地の方向Ｍ７を判別する必要なない。例えば、搬送路１３が長くて多くの原稿８の残留する可能性のある場合には、再セットされた原稿８のうちのしきい値以下の枚数の原稿８のみについて方向Ｍ７を判別するようにしてもよい。
【０１３４】
画像処理装置１は、ＭＦＰに限らず、原稿８の画像を読み取る機器であればよく、コピー機、ファクシミリ機、イメージリーダなどであってもよい。自動原稿送り装置１０に、原稿８から画像を読み取るイメージセンサを配置してもよい。
【０１３５】
その他、画像処理装置１の全体または各部の構成、処理の内容、順序、またはタイミング、原稿方向Ｍ８を特定する方法、天地補正処理の内容ＣＡの決定の方法などは、本発明の趣旨に沿って適宜変更することができる。
【符号の説明】
【０１３６】
１  画像処理装置（画像読取り装置）
８  原稿
１１  原稿トレイ
１２  搬送機構
２１  プラテンガラス（原稿台ガラス）
９０  ユーザ
４０１  方向特定部（方向特定手段）
４０２  補正要否決定部（補正要否決定手段）
４０３  天地補正部（天地補正手段）
４０４  方向指定受付部（方向指定受付手段）
４０５  方向検知部（方向検知手段）
４０６  再セット枚数検知部（再セット枚数検知手段）
４０７  ユーザ位置判別部（ユーザ位置判別手段）
４０８  原稿セット検知部（原稿セット検知手段）
４０９  中断指示受付部（中断指示受付手段）
Ｇ１１  画像
Ｍ６  方向（ユーザによって指定された方向）
Ｍ７  方向（画像の天地の方向）
Ｍ８  原稿方向
Ｐ１  読取り位置
Ｐ９０  ユーザ位置（ユーザの位置）
【図１】
2017085361.tif 000003
【図２】
2017085361.tif 000004
【図３】
2017085361.tif 000005
【図４】
2017085361.tif 000006
【図５】
2017085361.tif 000007
【図６】
2017085361.tif 000008
【図７】
2017085361.tif 000009
【図８】
2017085361.tif 000010
【図９】
2017085361.tif 000011
【図１０】
2017085361.tif 000012
【図１１】
2017085361.tif 000013